(57)【要約】      （修正有）【課題】蓋の開閉についてチャイルドレジスタントでかつシニアフレンドリーな容器を提供する。【解決手段】蓋付き容器１は，上方に開口した容器本体10と，容器本体に固定され，ヒンジ21により開閉自在に設けられる，容器本体の開口を塞ぐための蓋体20とを備えている。開いたときに蓋体が容器本体から離れる縁部のうち，ヒンジと対向する箇所（前面がわ）に１箇所と，上記ヒンジと対向する箇所から両側に離れ，ヒンジが設けられた部分の側方（両側面がわ）の２箇所とに，蓋体を閉じた状態に保持するロック機構70が設けられている。【選択図】図１
2017013816.tif 000002
【特許請求の範囲】
【請求項１】
上方に開口した容器本体部と，一部が上記容器本体部に固定され，ヒンジにより開閉自在に設けられる，上記容器本体部の開口を塞ぐための蓋体とを備え，
開いたときに蓋体が容器本体部から離れる縁部のうち，上記ヒンジと対向する箇所に少なくとも１箇所と，上記対向箇所から両側にそれぞれ離れ，上記対向箇所よりもヒンジに近い２箇所とに，蓋体を閉じた状態に保持するロック機構が設けられており，
上記ロック機構は，上記蓋体に設けられる操作部材支持部の先端に一体的に設けられた操作部材と，上記容器本体部に形成された係止縁とを含み，
上記操作部材は上方に突き出る操作部と，下方に延びて上記係止縁の下面に引っ掛かるロック爪を備えている，
蓋付き容器。
【請求項２】
上方に開口した容器本体部と，一部が上記容器本体部に固定され，ヒンジにより開閉自在に設けられる，上記容器本体部の開口を塞ぐための蓋体とを備え，
開いたときに蓋体が容器本体部から離れる縁部のうち，上記ヒンジと対向する箇所に少なくとも１箇所と，上記対向箇所から両側にそれぞれ離れ，上記対向箇所よりもヒンジに近い２箇所とに，蓋体を閉じた状態に保持するロック機構が設けられており，
上記ロック機構のうち，ヒンジに近い２箇所のロック機構は，上記蓋体に設けられる操作部材支持部の先端に一体的に設けられた第１の操作部材と，上記容器本体部に形成された第１の係止縁とを含み，上記第１の操作部材が上方に突き出る操作部と，下方に延びて上記第１の係止縁の下面に引っ掛かるロック爪を備えており，
上記ロック機構のうち，上記ヒンジと対向する箇所の少なくとも１箇所のロック機構は，上記容器本体部に設けられる操作部材支持部の先端に一体的に設けられた第２の操作部材と，上記蓋体に形成された第２の係止縁とを含み，上記第２の操作部材が上方に突き出る操作部を備え，上記操作部に上記第２の係止縁の上面に引っ掛かるロック爪が形成されている，
蓋付き容器。
【請求項３】
上記操作部材支持部が肉薄に形成されている，請求項１または２に記載の蓋付き容器。
【請求項４】
上記容器本体部が容器本体から構成され，
上記蓋体が，ヒンジにより結合された開閉自在の開閉部分と容器本体の上縁に固定される固定部とを備えている，
請求項１から３のいずれか一項に記載の蓋付き容器。
【請求項５】
上記容器本体部が，容器本体と，上記容器本体の上縁に嵌合されかつ固定される枠体とから構成され，
上記枠体に上記蓋体がヒンジにより結合されている，
請求項１から３のいずれか一項に記載の蓋付き容器。
【発明の詳細な説明】
【技術分野】
【０００１】
この発明は，幼児には開け難く（チャイルドレジスタントないしチャイルドロック），しかし力の必ずしも強くない高齢者であっても比較的容易に蓋を開けることができる（シニアフレンドリー）蓋付き容器に関する。
【背景技術】
【０００２】
医薬品，化粧品，洗剤，タバコ等は乳幼児が手で触れたり，誤って口に入れたりしないように，乳幼児の手の届かないところに保管することが大切であるが，これらの物品を入れておく容器そのものにもチャイルドレジスタント機能を持たせておくことも必要なことである。しかし，蓋を開け難くした場合に，上記の物品を必要とする大人，特に握力，把持力，押圧力の弱い高齢者でも容易に開けられないならば本末転倒である。
【０００３】
そこで，たとえば特許文献１，２のように，チャイルドレジスタントであって高齢者でも容易に開封することができるような（シニアフレンドリー）改良がなされている。
【先行技術文献】
【特許文献】
【０００４】
【特許文献１】特開２０１２−１３１５３３号公報
【特許文献２】特開２０１２−１３１５３４号公報
【０００５】
しかしながらこれらの特許文献１，２に記載のものは，液体，粘体などの容器の口部に螺着または冠着して使用するキャップに関するものであって，容器そのものの改良ではない。
【発明の開示】
【０００６】
この発明は，開閉自在な蓋を備え，この蓋の開閉についてチャイルドレジスタントでありかつシニアフレンドリーな容器を提供することを目的とする。
【０００７】
この発明による蓋付き容器は，上方に開口した容器本体部と，一部が上記容器本体部に固定され，ヒンジにより開閉自在に設けられる，上記容器本体部の開口を塞ぐための蓋体とを備え，開いたときに蓋体が容器本体部から離れる縁部のうち，上記ヒンジと対向する箇所に少なくとも１箇所と，上記ヒンジと対向する箇所から両側にそれぞれ離れ，上記対向箇所よりもヒンジに近い２箇所とに，蓋体を閉じた状態に保持するロック機構が設けられていることを特徴とする。蓋体と容器本体部との固定はヒンジによって実現することもできるし，ヒンジとは別に，蓋体の一部分を容器本体部に固定することもできる。蓋体の一部分を容器本体部に固定する場合には，蓋体は容器本体部に固定される部分（固定部分）と，容器本体部に固定されず開閉可能とされる部分（開閉部分）に分けられ，固定部分と開閉部分の境界がヒンジとされる。
【０００８】
少なくとも１箇所のロック機構が，開いたときに蓋体が容器本体部から離れる縁部のうちヒンジと対向する箇所に設けられる。蓋体はヒンジにより（ヒンジを軸に回動することで）開閉するので，ヒンジと対向する箇所は，ヒンジから最も離れた縁部ないしその近傍を意味する。たとえば蓋体が上方から見て方形であり，前面部，後面部および両側面部を持つとする。そして後面部ないし後面部付近に両側面を結ぶ向きにのびるヒンジが設けられているとすると，少なくとも１箇所のロック機構は前面部（前面部における縁部）に設けられる。
【０００９】
２箇所のロック機構は，開いたときに蓋体が容器本体部から離れる縁部のうち上記対向箇所から両側にそれぞれ離れ，上記対向箇所よりもヒンジに近い２箇所に設けられる。上方から見ると，２箇所のロック機構は，上記少なくとも１箇所のロック機構を挟んでその両側に位置する。上述した方形の蓋体であれば，たとえば２箇所のロック機構は両側面部のそれぞれに位置する。
【００１０】
蓋体を閉じると，少なくとも３箇所のロック機構によって蓋体は閉じた状態に保たれる（ロック状態）。ロックを解除して蓋体を開けるには，少なくとも３箇所のロック機構によるロック状態のすべてを，同時に解除する必要がある。
【００１１】
第１の発明では，上記少なくとも３箇所のロック機構はいずれも同じ構成を有している。この場合の上記ロック機構は，上記蓋体に設けられる操作部材支持部の先端に一体的に設けられた操作部材と，上記容器本体部に形成された係止縁とを含み，上記操作部材は上方に突き出る操作部と，下方に延びて上記係止縁の下面に引っ掛かるロック爪を備えているものである。
【００１２】
蓋体を閉じると，蓋体の操作部材支持部の先端に一体的に設けられた操作部材の下方に延びるロック爪が，容器本体部の係止縁を超えてその下側に行き，係止縁の下面に引っ掛かり，これにより蓋体は閉じた状態にロックされる。そのまま蓋体を持ち上げても蓋をあけることはできない。操作部材の上方に突き出た操作部を傾ければ（たとえば指で手前に引けば），ロック爪と係止縁との係止が外れる。操作部を傾けたまま蓋体を開く方向に動かせば（蓋を持ち上げれば），ロック爪は係止縁のところを通過して蓋を開くことができる。
【００１３】
第２の発明では，上記ヒンジと対向する箇所に設けられるロック機構と，ヒンジに近い２箇所に設けられるロック機構の構造が異なっている。２箇所のロック機構は上述と同じである。対向箇所のロック機構は，上記容器本体部に設けられる操作部材支持部の先端に一体的に設けられた操作部材と，上記蓋体に形成された係止縁とを含み，上記操作部材が上方に突き出る操作部を備え，上記操作部に上記係止縁の上面に引っ掛かるロック爪が形成されているものである。蓋体を閉じると，蓋体の係止縁が操作部材のロック爪を超えてその下側に行き，ロック爪の下面に係止縁が引っ掛かる（係止縁の上面にロック爪が引っ掛かる）。操作部材の上方に突き出た操作部を傾ければ（たとえば指で押せば），ロック爪と係止縁との係止が外れる。
【００１４】
蓋をあけるためには，少なくとも３箇所のロック機構のすべてについて操作部材の操作部を同時に操作する必要がある。さらに操作部材の操作部を操作する動作と蓋を持ち上げる動作という２つの動作もほぼ同時に行わなければならないので，乳幼児にはロックを解除して蓋をあけることは困難である（チャイルドレジスタント）。ヒンジは単に蓋体を容器本体部に開閉自在に連結するものであれば足り，ロックを解除したときにヒンジの弾性により蓋体が起きあがるようにしておく必要はない（ヒンジに蓋を起立させるほどの強い弾性（付勢）は必要ない）。学習能力のある成人であれば，たとえ力の強くない高齢者であっても，容易にロックを解除しかつ蓋をあけることができる（シニアフレンドリー）。
【００１５】
好ましくは，少なくとも３箇所のロック機構は片手で操作することができる位置に設けられる。たとえば一方の手の親指，人差し指，中指の３本の指を広げたときに，成人であれば３箇所のロック機構に指が届く位置に，ロック機構は設けられる。蓋付き容器の寸法を，成人の手の大きさに合わせて設計すればよい。乳幼児ではロック機構のすべてを同時に操作することができないので，チャイルドレジスタントを効果的に実現することができる。
【００１６】
好ましくは，上記操作部材支持部が肉薄に形成されている。操作部材を軽い力で操作することができるので，シニアフレンドリーを効果的に実現することができる。
【００１７】
一実施態様では，上記容器本体部が容器本体から構成され，上記蓋体が，ヒンジにより結合された開閉自在の開閉部分と容器本体の上縁に固定される固定部とを備えている。容器本体と蓋体の２パーツから構成されるタイプの蓋付き容器である。
【００１８】
他の実施態様では，上記容器本体部が，容器本体と，上記容器本体の上縁に嵌合されかつ固定される枠体とから構成され，上記枠体に上記蓋体がヒンジにより結合されている。ヒンジは枠体と蓋体とを一体的につなぐものとすることができ，この場合には，容器本体と，枠体および蓋体が一体化したものの２パーツから蓋付き容器が構成される。ヒンジを，枠体または蓋体の一方に設けられる軸と他方に設けられる軸受けから構成してもよい。この場合には，容器本体と，枠体と，蓋体の３パーツから蓋付き容器が構成される。
【図面の簡単な説明】
【００１９】
【図１】第１実施例の蓋付き容器の斜視図である。
【図２】第１実施例の蓋付き容器の分解斜視図である。
【図３】図１のIII−III線に沿う断面図である。
【図４】第２実施例の蓋付き容器の斜視図である。
【図５】第２実施例の蓋付き容器の分解斜視図である。
【図６】図４のVI−VI線に沿う断面図である。
【図７】第３実施例の蓋付き容器の分解斜視図である。
【図８】図３，図６に相当する，第３実施例の蓋付き容器の断面図である。
【発明を実施するための形態】
【００２０】
以下，図面を参照して蓋付き容器を詳細に説明する。
【実施例１】
【００２１】
図１はこの発明の第１実施例による蓋付き容器の全体を示している。図２は図１に示す蓋付き容器の分解斜視図である。図３は図１のIII−III線に沿う断面図である。
【００２２】
第１実施例の蓋付き容器１は，容器本体10と蓋体20とから構成される。容器本体10は有底のもので，上面以外の面（前面，後面，両側面および底面）が閉鎖された容器である。この実施例の容器本体10は，上面からみてほぼ正方形で，四隅に丸みがつけられたものであるが，その形状，高さは任意に設計することができる。容器本体10の上端周縁部の全周にわたって外方に突出するフランジ11が一体に形成されている。
【００２３】
容器本体10の開口する上面は，容器内に収納される物品の特性に応じて，たとえば防湿性のバリアシート12によって閉じることができる。バリアシート12は，その周縁部がフランジ11の上面に超音波などによって接着される。バリアシート12にはミシン目13が形成されており，ミシン目13に沿ってバリアシート12を破ることで，容器本体10の上面が開口する。
【００２４】
蓋体20は容器本体10の上面を閉じるもので，容器本体10の上面の形状に沿う形状を備えている。蓋体20の上面部の後面側にやや近い箇所に，両側面を結ぶ方向にのびるヒンジ21が形成されている。ヒンジ21によって２つに分けられる蓋体20の上面部の手前側（前面側）を開閉部22と呼び，奥側（後面側）を固定部23と呼ぶ。蓋付き容器１を構成する容器本体10は，たとえばポリプロピレン（ＰＰ）を用いたシート成形，インジェクション成形またはブロー成形により作成される。蓋体20は，たとえばポリプロピレン（ＰＰ）を用いたインジェクション成形により作成される。
【００２５】
蓋体20の開閉部22の周縁部には，後述する切り欠き部26を除いて下向きにわずかにのびる壁部24が一体に形成され，蓋体20の固定部23の周縁部にも下向きにわずかにのびる壁部25が一体に形成されている。壁部25の高さの方が壁部24の高さよりも高く，壁部25の内面には５つの爪部28が間隔をあけて一体に形成されている。蓋体20の固定部23を容器本体10のフランジ11に強制的に圧入すると，爪部28がフランジ11を折り曲げながらその下側に入り込み，フランジ11が蓋体20の固定部23の上面部と爪部28とによって挟まれ，これにより蓋体20の固定部23は容器本体10のフランジ11に強固に固定される。爪部28がフランジ11の下側に入りやすいように爪部28の下面は内方に向かって上方に傾斜する斜面（平面または曲面）となっていることが好ましい。また，フランジ11から離れ難くするために爪部28の上面はフランジ11の下面と平行な平坦面であることが好ましい。爪部28の数は任意の数とすることができる。
【００２６】
フランジ11に強固に常時固定される固定部23と異なり，開閉部22はフランジ11に常時固定されない。開閉部22はヒンジ21を軸にして回動し，これにより開閉部22によって閉じられていた容器本体10の上面が開口する。
【００２７】
蓋体20の開閉部22を容器本体10の開口を閉鎖した状態に保持するロック機構70が，容器の前面側の縁部と，両側面側の縁部とに，合計３箇所設けられている。図１に示すように，成人であれば，親指，人差し指および中指の３本の指で３つのロック機構70を同時に操作することができる。第１実施例の容器では前面側に１つのロック機構70が設けられているが，２つのロック機構70を，互いに間隔をあけて前面側の縁部に設けてもよい。この場合には，容器の前面側の縁部に２つ，側面側の縁部のそれぞれに１つずつ，合計４箇所のロック機構70が設けられ，親指，人差し指，中指および薬指（または小指）の４本の指が，ロック機構70を同時に操作するのに用いられる。
【００２８】
第１実施例の容器が備える３つのロック機構70はいずれも同じ構造を持つ。
【００２９】
ロック機構70は容器本体10の部材（構造，構成）と蓋体20の部材（構造，構成）とを含む。蓋体20の前面側および両側面側の３箇所に切り欠き部26が形成されており，切り欠き部26によって蓋体20の前面側および両側面側の３箇所が内方に矩形に切り欠かれている。この切り欠き部26に操作部材27が設けられている。
【００３０】
図３を参照して，操作部材27は蓋体20の開閉部22と一体に形成されており，切り欠き部26に位置する蓋体20の開閉部22の周縁端部に支持されており（以下，操作部材27を支持する部分を操作部材支持部29という），操作部材支持部29から上方にのびる部分と下方にのびる部分とを有している。操作部材27を支持する操作部材支持部29は肉薄に形成されており，湾曲しやすくなっている。操作部材27の幅は切り欠き部26の幅よりもやや狭く，操作部材27の左右の両側と切り欠き部26の両側端との間には隙間が設けられている。操作部材27の上方にのびる部分（上端部）が操作部であり，指で操作しやすくするためにやや丸みを帯びて形成されている。下方にのびる部分の先端（下端部）には内方に突出するロック爪27Ａが形成されている。ロック爪27Ａの上面は係止するために平坦に形成されており，下面は滑らかに丸みを帯びている。
【００３１】
容器本体10のフランジ11には，蓋体20の操作部材27および切り欠き部26に対応する位置に切り欠き部15が形成され，フランジ11の幅の半分程度が内方に切り欠かれている。この実施例では蓋体20の前面側および両側面側の３箇所に操作部材27および切り欠き部26が形成されているので，容器本体10のフランジ11もこれに対応して，３箇所の切り欠き部15が前面側および両側面側に形成されている。切り欠き部15は操作部材27が通る寸法を持つ。切り欠き部15に位置する幅狭のフランジ部分11Ａが，次に説明するようにロック爪27Ａの係止縁になる（以下，係止縁11Ａという）。
【００３２】
図３を参照して，蓋体20の開閉部22が開いた状態から開閉部22の前部を下方に押すと（蓋を閉じると），操作部材27の下端部のロック爪27Ａの丸みを帯びた下面が係止縁11Ａによって外方に押され，操作部材27を支持する操作部材支持部29が変形し（曲がり），操作部材27は，その下端部のロック爪27Ａが外方に移動するように傾く。操作部材支持部29を含めて蓋体20はプラスチック製（たとえばポリプロピレン製）であるから，ロック爪27Ａが係止縁11Ａのところを通過し，係止縁11Ａによって押されなくなると，その弾性によって変形が解消され，ロック爪27Ａの上面が係止縁11Ａの下側に入り込み，ロック爪27Ａは係止縁11Ａの下面に引っ掛かる。この状態では蓋体20（開閉部22）を開けることはできない。
【００３３】
図１を参照して，蓋体20を開けるときには，操作者は３つのロック機構70の操作部材27の上端部の操作部に指をかけて，３つの操作部材27を同時に傾けながら蓋体20を上に持ち上げる。操作部材27の上端部を内向きに傾けることで操作部材27の下端部のロック爪27Ａは外向きにすなわち係止縁11Ａから離れる方向に動き，ロックが外れる。この状態で蓋体20を上に持ち上げることで蓋体20を開くことができる。
【００３４】
ロックを解除して蓋体20を開くためには，３箇所のロック機構70を同時に操作しなければならない。また乳幼児の手は比較的小さいので，蓋付き容器１の大きさ（両側面側の２箇所のロック機構70の間の距離，両側面側の２箇所のロック機構70から前面側のロック機構70までの距離）を成人の手の大きさに合わせて設計することで，乳幼児には開けがたくすることができる。成人であれば，高齢者のように力の弱い人であっても上記蓋の開放動作は容易である。
【実施例２】
【００３５】
図４〜図６は第２実施例の蓋付き容器を示している。図４は第２実施例による蓋付き容器の全体を示している。図５は図４に示す蓋付き容器の分解斜視図である。図６は図４のVI−VI線に沿う断面図である。
【００３６】
第２実施例の蓋付き容器２は，容器本体10と，枠体40および蓋体50を備える蓋アセンブリ30とから構成される。蓋体50は枠体40に，後面側において複数箇所（この実施例では３箇所）でヒンジ49により開閉自在に結合している。枠体40と蓋体50とはヒンジ49を含めてインジェクション成形等により一体に形成される。容器本体10は第１実施例で説明したものと同じ構造を持つので，その詳細な説明は省略する。
【００３７】
蓋アセンブリ30を構成する蓋体50は，上面部にヒンジが形成されていない点，および蓋体50を容器本体10のフランジ11に固定するための爪部および高さの高い壁部を持たない点を除いて，第１実施例の蓋体20と同様の構造を有している。上面部にヒンジを持たないので，第２実施例の蓋体50は，第１実施例の蓋体20のように開閉部と固定部とに分けられていない。すなわち，蓋体50の上面部51の全体が開閉部である。蓋体50の周縁部には下向きにわずかにのびる壁部54が一体に形成され，その前面側および両側面側の３箇所に切り欠き部56が形成されている。切り欠き部56に位置する蓋体50の周縁端部（操作部材支持部59）に操作部材57が支持され，操作部材57の下端部にロック爪57Ａが形成されている。後面側の壁部54の外面に枠体40とつながるヒンジ49が連なっている。
【００３８】
蓋アセンブリ30を構成する枠体40は，容器本体10のフランジ11にぴったりと嵌るように，平面から見てフランジ11と同じ方形で四隅に丸みがつけられたものである。枠体40は上面がわが上方に突出し（凸状），下面がわに溝が形成されている。この凸状または溝は，上面部41，外面部（外壁部）42および内面部（内壁部）43により規定される。外面部42の内面下部に内方に突出する爪部46が形成されている。また，枠体40には，蓋体50の操作部材57および切り欠き部56に対応する位置に切り欠き部45が形成され，上面部41の幅の半分程度が内方に切り欠かれている。
【００３９】
枠体40の下側の溝の幅とフランジ11の幅はほぼ等しい。枠体40の下側の溝に容器本体10のフランジ11を強制的に圧入すると，枠体40の外面部42が外方に変形して爪部46がフランジ11を折り曲げながらその下側に入り込み，フランジ11が枠体40の上面部41と爪部46とによって挟まれる。これにより枠体40は容器本体10のフランジ11に強固に固定される。爪部46は，フランジ11の下側に入りやすくするために，その外面が内方に向かって上方に傾斜する斜面を備えている。なお，爪部46を用いて枠体40をフランジ11に固定するのに代えて，超音波等を用いて枠体40をフランジ11に接着することで固定してもよい。この場合には爪部46は必ずしも必要とされない。
【００４０】
枠体40が容器本体10に結合した状態では，容器本体10の上面開口は枠体40の開口に連なる。蓋体50を閉じると，枠体40の開口が蓋体50によって閉じられ，かつ容器本体10の上面開口も蓋体50によって塞がれる。
【００４１】
容器に蓋をするという観点から言えば，枠体40は容器本体10側の構成要素の一部と考えられる。この明細書において，容器本体10側の構成要素を「容器本体部」と呼ぶことにする。第２実施例において，枠体40と，枠体40が結合した容器本体10とが，容器本体部を構成する。上述した第１実施例では，容器本体10が容器本体部を構成する。第２実施例において，枠体40は容器本体部の開口の縁部に設けられた凸状枠部となる。
【００４２】
第１実施例と同様，開いた状態の蓋体50の前部を下方に押すと，操作部材57の下端部のロック爪57Ａが，容器本体部のフランジ11の係止縁11Ａの下側に入り込み，ロック爪57Ａが係止縁11Ａの下面に引っ掛かることで蓋体50はロックされる。蓋体50を開けるときには，蓋体50の３つの操作部分57の上端部の操作部に指をかけて，３つの操作部分57を同時に内向きに傾け，その状態で蓋体50を上に持ち上げる。３箇所のロックが外れ，蓋体50を開くことができる。
【００４３】
上述した第２実施例において，ヒンジ49は，枠体40および蓋体50の両方に連なって設けられており，枠体40，蓋体50およびヒンジ49は一体に形成されている。これに代えて，枠体40または蓋体50の一方に軸を設け，かつ他方に軸受けを設けることによって，枠体40と蓋体50とを回動可能に結合するヒンジを構成してもよい。この場合には，容器本体10と，枠体40と，蓋体50の３パーツから蓋付き容器２が構成される。
【実施例３】
【００４４】
図７および図８は第３実施例の蓋付き容器を示している。図７は第３実施例の蓋付き容器の分解斜視図を，図８は，図３および図６に相当する，第３実施例の蓋付き容器の断面図を示している。
【００４５】
第３実施例の蓋付き容器３は，３つのロック機構のうち前面側の縁部に設けられるロック機構70Ａが，操作部材47を内向きに傾ける（引っ張る）のではなく，外向きに傾ける（操作部を外方に向けて押す）ことでロック解除される点が異なっている。
【００４６】
第１，第２実施例において，操作部材27，57は蓋体20，50と一体に形成されているが，第３実施例の蓋付き容器３において前面側の縁部に設けられるロック機構70Ａでは，操作部材47は容器本体部（枠体40）と一体に形成されている。
【００４７】
図８を参照して，操作部材47は，切り欠き部45が形成されている部分の枠体40の上面部41の周縁端部（操作部材支持部）41Ａに一体的に形成されて支持されている。また，容器本体10の前面側のフランジ11に形成されている切り欠き部15Ａは，操作部材47との干渉を避けるためにやや大きく形成されている。
【００４８】
操作部材47のロック爪47Ａが，操作部材47の下端部ではなく，上端部に形成されている点も第１，第２実施例と異なる。第３実施例において，ロック爪47Ａが係止するのは，蓋体50の前面側の切り欠き部56内に位置する，蓋体50と一体に形成された係止縁58である。この点も，容器本体部（容器本体10のフランジ11の一部11Ａ）を係止縁とする第１，第２実施例と異なる。係止縁58は，蓋体50の上面部51から斜め前方に傾斜して前面側の切り欠き部56に入る傾斜部分の先端から外方にわずかにのびる部分である。
【００４９】
蓋体50を開いた状態から閉じると，係止縁58によって操作部材47の上端部の操作部（ロック爪47Ａ）が外向きに押され，その後係止縁58はロック爪47Ａの下側に入り込み，これによりロックがかかる。ロック爪47Ａは係止縁58の上面に引っ掛かる。蓋体50を開けるときには，操作者はロック機構70Ａについては操作部材47の上端部の操作部を指で外向きに押す。ロック爪47Ａが係止縁58から離れる向きに動き，ロックを外すことができる。
【００５０】
両側のロック機構70については，第１，第２実施例と同様，操作部材57の上端部の操作部を内向きに引っ張ることでロック解除される。第１，第２実施例に比べてロック解除のための操作の複雑さがやや増すので，特にチャイルドレジスタントに効果的である。
【符号の説明】
【００５１】
１，２，３  蓋付き容器
10  容器本体
11  フランジ
20，50  蓋体
21，49  ヒンジ
27，47，57  操作部材
27Ａ，47Ａ，57Ａ  ロック爪
29，41Ａ，59  操作部材支持部
70，70Ａ  ロック機構
11Ａ，58  係止縁
【図１】
2017013816.tif 000003
【図２】
2017013816.tif 000004
【図３】
2017013816.tif 000005
【図４】
2017013816.tif 000006
【図５】
2017013816.tif 000007
【図６】
2017013816.tif 000008
【図７】
2017013816.tif 000009
【図８】
2017013816.tif 000010